(57)【要約】【課題】浴室の施工業者の施工範囲内で、脱衣室側の吸気口及びそれに繋がるダクト工事を行なうことができ、工事の責任区分が明確となる脱衣室吸気構造を提供する。【解決手段】浴室１の入口ドア６のドア枠６ａの上部に配設された板材７に、浴室１の天井裏に配置された換気扇３へ吸気ダクト４を通して脱衣室内の空気を吸い込む吸気口４ａを設けて構成する。【選択図】        図１
2004301460.tif 000002
【特許請求の範囲】
【請求項１】
浴室の入口ドアのドア枠上部に配設された板材に、浴室天井裏に配置された機器への吸気口を設けたことを特徴とする脱衣室吸気構造。
【請求項２】
前記機器が、換気扇であることを特徴とする請求項１に記載の脱衣室吸気構造。
【請求項３】
前記機器が、浴槽から空気の泡を噴出させることのできる浴槽気泡装置のポンプであることを特徴とする請求項１に記載の脱衣室吸気構造。
【請求項４】
前記板材に、隙間を形成して脱衣室用の暖房機を設置し、該暖房機で前記吸気口を覆い隠したことを特徴とする請求項１に記載の脱衣室吸気構造。
【発明の詳細な説明】
【０００１】
【発明の属する技術分野】
この発明は、脱衣室吸気構造に関するものである。
【０００２】
【従来の技術及び発明が解決しようとする課題】
従来、浴室の天井裏に設けられた換気扇で、隣の脱衣室の換気も行なえるように構成しようとすると、浴室以外の、脱衣室用の吸気口及びそれに繋がるダクト工事は、浴室施工業者とは別の業者による別途工事となり、工事責任区分が不明確となってしまうという問題点がある。
なお、浴室の換気扇の吸気は、浴室に設けられたドアの下部に形成された「ガラリ」から行なわれるが、浴室換気扇の能力が高すぎると、折り戸などのドアは換気扇の吸気力によって開いてしまったり、閉めにくくなったりし、また、「ガラリ」を大きくしすぎると、湿気が脱衣室側に出やすくなり、入浴中などに「ガラリ」からの隙間風により寒く感じてしまうという問題点がある。
また、従来、浴槽内に気泡を噴出させる気泡浴槽装置のポンプは、浴室の天井裏から吸気して、浴槽の底側等から気泡を噴出させるものであるため、天井裏の冷たい空気が浴槽内に噴出されて、浴槽の湯が冷めやすいという問題点があった。
なお、気泡装置の吸気を隣の脱衣室から吸い込むようにするには、脱衣室に吸気口を設ける必要があり、これも別途工事となり、責任区分が不明確となってしまうという問題点があった。
【０００３】
【特許文献１】
特開平１１−１２８３０５号公報
【特許文献２】
特開２００１−２４１６８４号公報
【０００４】
【課題を解決するための手段】
本発明は上記従来の問題点に鑑み案出したものであって、吸気口及びそれに繋がるダクト工事の責任区分が明確となり、良好に脱衣室の空気を取り込むことのできる脱衣室吸気構造を提供せんことを目的とし、その第１の要旨は、浴室の入口ドアのドア枠上部に配設された板材に、浴室天井裏に配置された機器への吸気口を設けたことである。
また、第２の要旨は、前記機器が、換気扇であることである。
また、第３の要旨は、前記機器が、浴槽から空気の泡を噴出させることのできる浴槽気泡装置のポンプであることである。
また、第４の要旨は、前記板材に、隙間を形成して脱衣室用の暖房機を設置し、該暖房機で前記吸気口を覆い隠したことである。
【０００５】
以下、本発明の実施例を図面に基づいて説明する。
図１は、浴室ユニットの斜視構成図であり、浴室ユニット１の天井２には、浴室内を換気するための換気扇３が設けられている。
この換気扇３には、排気ダクト５と吸気ダクト４が接続されており、吸気ダクト４の先端は、浴室ユニットの入口ドア６のドア枠６ａの上部に配設された板材７の吸気口４ａに接続されている。
【０００６】
図２に示すように、この板材７の脱衣室側には、脱衣室用暖房機９が取り付けられるものであり、この脱衣室暖房機９により吸気口４ａを覆い隠して、スッキリとした設置状態が得られるものである。
なお、脱衣室暖房機９の裏側には、上下に一対の隙間形成片９ａ，９ａを設けておき、この隙間形成片９ａを板材７に当接させて、吸気口４ａと脱衣室用暖房機９の裏面間に吸気用のスペースＳを形成させておくと良い。
【０００７】
このような構造では、換気扇３を作動させることにより、浴室ユニット１内の空気とともに、脱衣室内の空気が良好に吸気ダクト４を通り排気ダクト５から排出されるものとなる。即ち、脱衣室内の空気は、暖房機９と板材７間の吸気スペースＳから吸気口４ａ内に入り、吸気ダクト４を通って、換気扇３を介して排気ダクト５から排出されるものである。
【０００８】
本例では、浴室ユニットの施工業者が、浴室ユニット１の入口ドア６の上部に板材７を配設して、この板材７に、換気扇３から吸気ダクト４を配設して、ダクト工事まですべて行なうことができ、その後に、入口ドア６の外側に木枠８を別の業者が取り付けて、別の業者により脱衣室が構築されるものである。
本例では、吸気口４ａ及びそれに繋がる吸気ダクト４の工事まで、浴室ユニットの施工業者の手で行なうものであり、工事の責任区分が明確なものとなる。
【０００９】
なお、換気扇３を高出力のものにして、住宅全体を換気できるシステムとする場合においても、換気扇３が作動されることで、浴室内の空気とともに脱衣室内の空気を吸気口４ａから吸い込む構造であるため、吸い込みが２ヶ所で行なわれるため、浴室ドアの「ガラリ」からの吸い込み量を減らすことができ、そのため、浴室ドアを構成する折り戸等が換気扇の吸い込み力で開いてしまったり、また、開き戸が開きにくくなったりすることがなくなるものである。
【００１０】
次に、図３は第２実施例を示すものであり、図３では、浴室ユニット１の天井２の裏側に浴槽気泡装置の気泡ポンプ１０が設置されており、この気泡ポンプ１０の上面には吸い込み口を形成する吸込スリット１０ａが設けられており、吸込スリット１０ａから空気を吸い込んで、気泡配管１１を通して空気を浴槽１２の底側へ導き、浴槽１２の底側に配置されている複数の気泡噴出口１１ａ，１１ａ，１１ａから浴槽内に気泡を噴出することができるように構成されている。
【００１１】
図４に示すように、浴室ユニットの入口ドア６のドア枠６ａの上部に、浴室ユニットの施工業者により板材７を設置しておき、この板材７に吸気口４ａを設けて、この吸気口４ａと気泡ポンプ１０間に吸気ダクト４を配管して施工することができ、この場合に、吸気ダクト４の先端に、気泡ポンプ１０の吸込スリット１０ａに被さる覆蓋カバー４ｂを設けて、覆蓋カバー４ｂを気泡ポンプ１０の上面に被せ状に固定して取り付けることができ、このような吸気ダクト４のダクト工事及び吸気口４ａの工事は、すべて浴室ユニット１の施工業者により行なわれて、責任区分が明確なものとなる。
【００１２】
なお、図４のように、板材７には、隙間形成片９ａ，９ａを備えた脱衣室用暖房機９を取り付けて、この脱衣室用暖房機９により吸気口４ａを隠し、スッキリとした設置状態を得ることができるものである。
このような構成では、工事の責任区分が明確なものとなり、しかも、気泡ポンプ１０を作動させることにより、脱衣室内の暖かい空気（特に脱衣室用暖房機９を設けた場合には、この暖房機の裏側の暖かい空気）を良好に吸気口４ａから吸い込んで、浴槽１２の底側の気泡噴出口１１ａから浴槽内に噴出させることができ、そのため、冬場でも浴槽内の湯が冷めにくいものとなる。
【００１３】
【発明の効果】
本発明の脱衣室吸気構造は、浴室の入口ドアのドア枠上部に配設された板材に、浴室天井裏に配置された機器への吸気口を設けたことにより、浴室の工事範囲内で脱衣室側に開口する吸気口の工事ができ、工事の責任区分が明確なものとなる。
【００１４】
また、前記機器が、換気扇であることにより、浴室と脱衣室の２室対応の換気扇の吸気口の工事を、浴室施工業者の工事範囲内で完了させることができ、工事の責任区分が明確なものとなる。また、換気扇は浴室と脱衣室の２ヶ所から吸気するために、換気扇が高出力のものであっても、浴室ドアが開いてしまったり、開けにくくなったりすることを回避できるものとなる。
【００１５】
また、前記機器が、浴槽から空気の泡を噴出させることのできる浴槽気泡装置のポンプであることにより、脱衣室内の暖かい空気を浴槽に送ることができ、冬場でも浴槽の湯が冷めにくいものとなる。
【００１６】
また、前記板材に、隙間を形成して脱衣室用の暖房機を設置し、該暖房機で前記吸気口を覆い隠したことにより、脱衣室側に開口する吸気口を良好に暖房機で隠すことができ、設置状態の見栄えが良好なものとなる。しかも、暖房機で暖められた空気を浴槽内に噴射することができ、浴槽の湯が冷めにくいものとなる。
【図面の簡単な説明】
【図１】第１実施例の浴室ユニットの斜視構成図である。
【図２】板材に脱衣室側から脱衣室用暖房機を取り付ける前の分解斜視図である。
【図３】第２実施例の浴室ユニットの斜視構成図である。
【図４】図３における浴室ユニット側に設置された板材に、脱衣室側から脱衣室用暖房機を取り付ける前の分解斜視図である。
【符号の説明】
１  浴室ユニット
２  天井
３  換気扇
４  吸気ダクト
４ａ  吸気口
５  排気ダクト
６  入口ドア
６ａ  ドア枠
７  板材
８  木枠
９  脱衣室用暖房機
９ａ  隙間形成片
１０  気泡ポンプ
１０ａ  吸込スリット
１１  気泡配管
１１ａ  気泡噴出口
１２  浴槽
Ｓ  吸気スペース
【図１】
2004301460.tif 000003
【図２】
2004301460.tif 000004
【図３】
2004301460.tif 000005
【図４】
2004301460.tif 000006